(57)【要約】【課題】横幅が奥行きや高さに較べて小さい外形を有する現像装置でも地震発生時や床上を移動する際に転倒し難くする。【解決手段】感光材料を現像処理する現像部と、感光材料を乾燥させる乾燥部と、前記現像部から前記乾燥部へ前記感光材料を搬送する搬送機構と、制御部とを内蔵する現像装置のハウジングを構成する床フレーム２ａに、現像装置を移動させるためのキャスター６と、キャスターを床面から浮き上がらせて前記現像装置を床面に対して固定するパッド付きジャッキ５と、現像装置の横倒れを抑制するためにハウジングの下方から側壁を越えて外方に突出した突起体４０を有するスタビライザ４とが設けられている【選択図】        図８
2005221863.tif 000002
【特許請求の範囲】
【請求項１】
ハウジング内に、感光材料を現像処理する現像部と、感光材料を乾燥させる乾燥部と、前記現像部から前記乾燥部へ前記感光材料を搬送する搬送機構と、制御部とを内蔵する現像装置において、
前記ハウジングを構成する床フレーム部に、前記現像装置を移動させるためのキャスターと、前記キャスターを床面から浮き上がらせて前記現像装置を床面に対して固定するパッド付きジャッキと、前記現像装置の横倒れを抑制するために前記ハウジングの下方から側壁を越えて外方に突出した突起体を有するスタビライザとが設けられていることを特徴とする現像装置。
【請求項２】
前記現像部を構成する処理槽とポンプユニットと補充容器が上下に重なり配置され、前記現像部の前に前記制御部が配置され、前記現像部の後方に前記乾燥部が配置され、前記ハウジングがその奥行きと高さが横幅の２.５倍以上に達する細長直方体形状であることを特徴とする請求項１に記載の現像装置。
【請求項３】
前記スタビライザの突起体が高さ方向に位置調整可能に構成されていることを特徴とする請求項１又は２に記載の現像装置。
【請求項４】
前記スタビライザの突起体が前記パッド付きジャッキのパッドに固定されており、前記突起体と前記パッドが連動して上下移動することを特徴とする請求項３に記載の現像装置。
【請求項５】
前記突起体の先端部に装着可能な装着部を高さ方向に偏芯させて形成した調整キャップが備えられており、前記調整キャップの前記先端部に対する装着姿勢に応じて前記調整キャップの対床面距離が異なることを特徴とする請求項１〜４のいずれかに１項に記載の現像装置。
【発明の詳細な説明】
【技術分野】
【０００１】
本発明は、ハウジング内に、写真フィルムなどの感光材料を現像処理する現像部と、感光材料を乾燥させる乾燥部と、前記現像部から前記乾燥部へ前記感光材料を搬送する搬送機構と、制御部とを内蔵する現像装置に関し、特に現像装置が地震発生時や床上を移動する際に転倒し難くする技術に関する。
【背景技術】
【０００２】
現像装置の底フレームに完全ロック式のキャスターを設けて移動時にはそのロックを外して現像装置を自由に移動させることや、地震発生時の安定性のために現像装置の底フレームにハーフロック式のキャスターを設けて固定時においてもある程度現像装置を滑らせる構成は従来から知られている（例えば、特許文献１参照。）。
【０００３】
さらに、現像ユニットに設けられているキャスターによって移動可能な現像ユニットの底板に設けられたアンカーボルトの下にそれぞれカップを配置するとともに、アンカーボルト回転させることによりキャスターが設置面から浮き上がるまで現像ユニットを持ち上げ、次いで、アンカーボルトを少しずつ回転させて現像ユニットの高さを微調整して水平とする構成も知られている（例えば、特許文献２参照。）。
【０００４】
【特許文献１】特開平１０−１１５３９７号公報（段落番号０００２−０００８、図１）
【特許文献２】特開平１０−１３３２８６号公報（段落番号００８５、図４）
【発明の開示】
【発明が解決しようとする課題】
【０００５】
上述したように、現像装置の底面に設けたキャスターによって現像装置を移動可能にすることや、このキャスターにロックを施して現像装置を床面に固定したり、あるいはアンカーボルトのような高さ調整可能な設置部材によってキャスターを床面から浮き上がらせて現像装置を床面に固定することは公知であるが、写真プリントショップなどに設置される現像装置の場合、スペースの有効利用の観点から小さなスペースに設置可能とするために、設置床面積が細長の長方形になることが要望されている。しかしながら、従来の構造の現像装置では、横幅が奥行きや高さに較べて小さくした場合は地震発生時や床上を移動する際に転倒しやすくなる。
【０００６】
上記実状に鑑み、本発明の課題は、横幅が奥行きや高さに較べて小さい外形を有する現像装置でも地震発生時や床上を移動する際に転倒し難くすることである。
【課題を解決するための手段】
【０００７】
上記課題を解決するため、ハウジング内に、感光材料を現像処理する現像部と、感光材料を乾燥させる乾燥部と、前記現像部から前記乾燥部へ前記感光材料を搬送する搬送機構と、制御部とを内蔵する現像装置において、本発明では、前記ハウジングを構成する床フレーム部に、前記現像装置を移動させるためのキャスターと、前記キャスターを床面から浮き上がらせて前記現像装置を床面に対して固定するパッド付きジャッキと、前記現像装置の横倒れを抑制するために前記ハウジングの下方から側壁を越えて外方に突出した突起体を有するスタビライザとが設けられている。なお、ここでいう底フレーム部とは、底フレームそのものや、底フレームに固定されたブラケットや補強部材などの総称である。
【０００８】
この構成では、現像装置をキャスターを使って移動させている状態でも、パッド付きジャッキでキャスターを持ち上げて現像装置を床面に設置させた状態でも、いずれにしても現像装置のハウジングの下方から側壁を越えてスタビライザの突起体が外方に突出していることで、この突起体が現像装置の横倒し時のつっぱりとなる。従って、この現像装置は、地震発生時や床上を移動する際に転倒し難くなっている。
【０００９】
本発明の好適な実施形態として、スペースの有効利用の観点から小さな隙間に設置可能とするため設置床面積が細長の長方形になるような現像装置を実現するため、前記現像部を構成する処理槽とポンプユニットと補充容器を上下に重なり配置し、前記現像部の前に前記制御部を配置するとともに前記現像部の後方に前記乾燥部を配置することで前記ハウジングがその奥行きと高さが横幅の２.５倍以上に達するような細長直方体形状な略直方体となっている現像装置を提案することができるが、そのような現像装置において、特に上述した突起体を有するスタビライザの存在が重要となる。
【００１０】
この現像装置の移動の際には床面にキャスターを接当させることになり、据え付け固定の際にはバッド付きジャッキによってキャスターが床面より浮き上がるので、現像装置の下部ハウジングを構成する床フレームの対床面高さの移動時と据え付け固定時には異なることになる。このため、スタビライザの突起体が床フレームに対して固定されていると、現像装置の移動時には床面に近すぎる位置になったり、現像装置の据え付け固定時には床面から離れ過ぎる位置になったりと、不都合が生じる。この不都合を解消するために、前記スタビライザの突起体が高さ方向に位置調整可能に構成されることが提案される。さらに、その高さ位置調整の好適な実施形態として、前記スタビライザの突起体が前記パッド付きジャッキのパッドに固定されており、前記突起体と前記パッドが連動して上下移動することも提案される。これによりスタビライザの突起体はジャッキのパッドと実質的に同じ床面高さとなり、現像装置の移動時と据え付け固定時の両方において十分に横倒れを抑制することができる床面高さを、突起体自体を調整することなしにジャッキのパッド長さを調整するだけで自動的に確保することができる。
【００１１】
上述したようにジャッキのパッドにスタビライザの突起体を固定することが多くの利点をもたらすが、現像装置のキャスターを使った移動時にはスムーズな移動のためにパッドをある程度床面より高くする必要があり、その結果突起体も床面からある程度の高さをもつことになる。この突起体と床面からの高さを最適にするため、さらに好適な実施形態では、前記突起体の先端部に装着可能な装着部を高さ方向に偏芯させて形成した調整キャップが備えられており、前記調整キャップの前記先端部に対する装着姿勢に応じて前記調整キャップの対床面距離が異なるように構成されている。つまり、突起体への装着姿勢によって突起体から床面方向への厚さが異なる調整キャップを用意しておき、現像装置の移動時には突起体から床面方向への厚さが大きくなる姿勢でこの調整キャップを突起体の先端部に装着し、現像装置の据え付け固定時には突起体から床面方向への厚さが小さくなる姿勢でこの調整キャップを突起体の先端部に装着することで、現像装置の移動時においても据え付け固定時においてもスタビライザの調整キャップも含めた突起体の床面高さは最適な値に維持することができ、現像装置の横倒れ安定性に効果的に貢献する。
本発明によるその他の特徴及び利点は、以下図面を用いた実施形態の説明により明らかになるだろう。
【発明を実施するための最良の形態】
【００１２】
本発明による現像装置の実施の形態について、図面に基づいて説明する。
図１には、現像装置の一例としてのフィルム現像装置の外観が示されており、短い横幅に比べて長い奥行きと高さをもったほぼ直方体のハウジング１内に写真フィルム（以下単にフィルムと略称する）の現像に必要な構成要素が納められている。このハウジング１は、図２に模式的に示されているように、床フレーム２ａを含むフレーム２にパネル３をはり付けることで構成されており、その奥行きと高さが横幅の２.５倍以上に達する細長直方体形状であり、設置面積が小さくなっている。
【００１３】
床フレーム２ａには、現像装置を移動させるためのキャスター６と、キャスター６を床面から浮き上がらせて現像装置を床面に対して固定するパッド付きジャッキ５と、前記現像装置の横倒れを抑制するためにハウジング１の側壁１ａから外方に突出した突起体４０とこの突起体に装着された調整キャップ４００を有するスタビライザ４とが設けられている。
【００１４】
現像装置正面の上部コーナ部には表示パネル３１とフィルム挿入部１０へのアクセスを許す揺動カバー３０が設けられている。さらに、装置の上部にはアーチ状のダクトが設けられているが、このダクトが現像され排出されたフィルムを一時保管するフィルム保管部１２として機能している。
【００１５】
このフィルム現像装置は、その内部に、先端にリーダシートＬを連結したフィルムＦを装填するフィルム挿入部１０と、フィルム挿入部１０から繰り出されるフィルムＦを現像処理するフィルム現像部２００と、現像処理後のフィルムＦを乾燥するフィルム乾燥部１１と、フィルムＦをフィルム挿入部１０からフィルム現像部２００やフィルム乾燥部１１へ搬送する搬送機構７と、このフィルム現像装置の電源ユニット１４ｂや制御ユニット１４ａなどを備えた制御部１４とを備えており、フィルム乾燥部１１で乾燥されて排出されたフィルムＦはフィルム保管部１２に一時的に保管され、適時に取り出される。
【００１６】
フィルム挿入部３に装填される前に、図３で示されているように、フィルム格納ケースから引き出されたフィルムＦの先端部分がスプライステープＳＴを用いてリーダシートＬに接合されており、このリーダシートＬに先導される形でフィルムＦの本体がフィルム挿入部１０からフィルム現像部２００やフィルム乾燥部１１を通過する。先導役としてのリーダシートＬには搬送方向に沿って１列に等ピッチで貫通孔Ｌａが設けられており、搬送機構７はこの貫通孔Ｌａに回転係入してリーダシートＬを送り出す搬送用スプロケットもフィルム搬送用ローラとともに随所に備えている。つまり、リーダシートＬの貫通孔Ｌａは搬送用スプロケットのためのスプロケット孔として機能する。図３から明らかなように、このスプロケット孔列は、リーダシートＬの搬送方向（長手方向）の中心線より一方側に偏心して位置している。
【００１７】
図３に示されているように、フィルム挿入部１０には、挿入時のリーダシートＬの案内を行うガイド１０ａと、導入搬送ローラユニット７ａと、フィルム収納ケースから引き出し終えたフィルムＦの後端を必要に応じて切断するフィルムカッタ１０ｂと、挿入されてきたリーダシートＬのスプロケット孔Ｌａに回転係入するフリー回転式のチェック用スプロケット１０ｃが備えられている。このチェック用スプロケット１０ｃの歯先は正しい表裏姿勢で挿入されたリーダシートＬのスプロケット孔Ｌａに係入するように構成されており、誤った表裏姿勢でのリーダシートＬの挿入を防止している。
【００１８】
先導役としてのリーダシートＬがフィルム挿入部１０に挿入された後、フィルムＦの収納ケースはフィルム受け部１０ｄに受持させ、揺動カバー３０を閉じて、フィルム挿入部１０の遮光状態を作り出す。
【００１９】
チェック用スプロケット１０ｃを通過したリーダシートＬは、導入搬送ローラユニット７ａに挟持された状態で搬送され、フィルム現像部２００に送り込まれる。図２に模式的に示されているように、フィルム現像部２００には、現像、漂白、定着等の現像処理を順次行うため複数種類の処理液が各別に充填された７つのサブタンク付き処理槽２１と処理液希釈用水を貯蔵する補水槽２３とを一体形成したタンクユニット２０と、フィルム現像部２００内でリーダシートＬやフィルムＦを搬送するフィルム現像部内搬送機構１３０とが備えられている。各処理槽２１は、処理液の種類によりそれぞれ発色現像（ＣＤ）槽２１ａ、漂白（ＢＬ）槽２１ｂ，定着（ＦＩＸ）槽２１ｃ，安定（ＳＴＢ）槽２１ｄと呼ばれるが、実質的に同一な構成なので、特別に区別する場合を除いてそれらの総称として処理槽２１なる語句が用いられている。
【００２０】
図４に示すように、処理槽２１とサブタンク２２とは上部で互いに連通しているとともにそれぞれの底部は循環路２４ａによって連通されている。この循環路２４ａには循環ポンプ２５ａが設けられている。循環ポンプ２５ａはサブタンク２２内の処理液を循環路２４ａから処理槽２１内に送り込むように作動する。これにより、処理槽２１からサブタンク２２に流れた処理液はサブタンク２２の底部から循環路２４ａを通って再び処理槽２１の底部に流れ、図４の矢印で示すような処理槽２１のための循環流が生じる。サブタンク２２の内部には、フィルタ２６ａが組み込まれ、そのフィルタ２６ａを通過した濾過後の処理液は、フィルタ２６ａを貫通するパイプ２６ｂのスリットからパイプ２６ｂ内に流れて循環路２４ａに至る。又、サブタンク２２の内部には、処理液を加熱するヒーター２６ｃと、処理液の温度を検出する温度センサー２６ｄとが組み込まれ、その温度センサー２６ｄの検出信号に基づいてヒーター２６ｃの動作が制御される。処理液の補充によりオーバーフローした廃液を貯える廃液タンク２８が処理液槽２１の側壁に設けられている。
【００２１】
なお、上述したように、処理槽２１としての発色現像槽２１ａと漂白槽２１ｂと定着槽２１ｃと安定槽２１ｄにはそれぞれ異なる処理液つまり異なる補充液を供給する必要があるので、異なる処理液を調整補充するための４つの補充容器２７が備えられている。補充容器２７と処理槽２１のサブタンク２２とが補充流路２４ｂで接続されている。補充流路２４ｂには補充容器２７から補充液をサブタンク２２へ送り出す補充ポンプ２５ｂが介装されている。補充ポンプ２５ｂはベローズポンプとして構成されており、ベローズの１回の拡縮にともなう容積差によって所定量の補充液が補充容器２７からサブタンク２２の液面に送り出される。
【００２２】
処理槽２１とともにタンクユニット２０に一体形成されている補水槽２３とサブタンク２２とが補水流路５４ｃで接続されている。この補水流路５４ｃには補水槽２３から希釈水をサブタンク２２へ送り出す補水ポンプ２５ｃが介装されている。
【００２３】
図２から明らかなように、このフィルム現像装置のハウジング１内の上部領域にタンクユニット２０が配置され、その下部領域に各処理液のための４つの補充容器２７が配置され、タンクユニット２０と補充容器２７列の間に各種ポンプ２５ａ、２５ｂ、２５ｃの横並びで構成されるポンプユニット２５が配置されている。さらに、フィルム現像装置のハウジング１の正面領域には、前述したように、フィルム挿入部１０と制御部１４が配置されおり、フィルム乾燥部１１は、タンクユニット２０と補充容器２７列とポンプユニット２５とからなるフィルム現像部２００の背面側に配置されているので、ハウジング１の横幅が短くなっており、結果的にフィルム現像装置の設置面積も小さくなり、省スペース化に貢献している。
【００２４】
タンクユニット２０にはリーダシートＬに先導されたフィルムＦを各処理槽２１の領域で搬送するためにラックユニット１３０が装着される。このラックユニット１３０は処理液中に沈められる下部ラック１３０Ａと下部ラックの上方に配置されるとともにフィルムＦの処理槽２１から処理槽２１への移行をガイドする上部ラック１３０Ｂとから構成されている。下部ラック１３０Ａには、フィルムＦをガイド搬送する複数のローラ対や最下部でのフィルムＦの反転搬送を行う駆動ローラ及びリーダシートＬを搬送するための駆動スプロケットが設けられているが、それ自体はよく知られているのでここでの説明は省略される。タンクユニット２０内でのリーダシートＬやフィルムＦを搬送するラック構造に関しては、例えば特開平７−７２６０２号公報や特開２００３−５３３５が参照される。
【００２５】
図５、図６、図７にパッド付きジャッキ５と一体化されたスタビライザ４が図示されている。このパッド付きジャッキ５は接地側に皿状のパッド５０を取り付けたジャッキボルトとして構成されており、パッド５０の中心に設けられた貫通孔に下側から挿入されるボルト本体５１と、このボルト本体５１のボルトヘッド５１ａとの間にパッド５０をルーズに挟み込むとともにボルト本体５１に溶接止めされた操作用ナット５２と、ボルト本体５１の先端側を床フレーム２ａ（又は床フレームに固定された取付ブラケット）に形成された貫通孔２ａａに挿入しながらボルト本体５１をネジ移動させるために床フレーム２ａに溶接された固定ナット５３と、固定ナット５３との間に床フレーム２ａ（又は床フレームに固定された取付ブラケット）を挟み込んでボルト本体５１を固定する締め付けナット５４を備えている。パッド５０はその中央領域を凹ませており、その凹みにボルトヘッド５１ａが収まることにより、パッドの周辺部が床面に接当した際にボルトヘッド５１ａが床面に接当することを避けている。締め付けナット５４を緩めた後操作ナット５２を回転操作することによりボルト本体５１を固定ナット５３に対して回動させ、床フレーム２ａからのボルトヘッド５１ａ、結果的にはパッド５０の突出量を調整し、それを最適な高さに設定することができる。調整設定後は、再び締め付けナット５４を締め付けることで、ボルト本体５１を床フレーム２ａ（又は床フレームに固定された取付ブラケット）にしっかりと固定しておく。
【００２６】
スタビライザ４は、円形断面の金属製ロッドをＵ字状に曲げた後さらにその中間部で直角に折り曲げて製作されたロッドで輪郭を形成した舌状突起体４０として構成されている。この舌状突起体４０はＵ字の繋がり部を先端部４１としており、その先端部からＬ状の左ロッド部４２と右ロッド部４３が延びている構成となっている。左右のロッド部４２と４３は先端部４１がほぼ水平となるようにパッド付きジャッキボルト５のパッド５０の周辺部の上面にそのボルト本体５１を挟むように溶接で連結されている。左右ロッド部４２と４３の自由端部はそれぞれ床フレーム２ａ（又は床フレームに固定された取付ブラケット）に形成された貫通孔２ａｂに挿入されることで、この舌状突起体４０はパッド５０とともに高さ方向に移動可能となっている。なお、図面では、左右ロッド部４２と４３の水平部の長さは先端部４１がハウジング１の下方から側壁を越えて十分に突き出るようになっているが、その正確な寸法は現像装置の重心位置及びキャスター６の取付位置などに応じて現像装置の横倒れに対処できるように決定される。
【００２７】
図６と図７からよく理解できるように、舌状突起体４０の先端部４１を取り外し自在に圧入することができる装着ポケット４０１を形成した調整キャップ４００が用意されている。この調整キャップ４００は上面４０２と下面４０３を有する実質的には直方体形状であり、装着ポケット４０１は中心よりずらしてつまり偏芯させて形成されているので、舌状突起体４０の先端部４１に対して上面４０２を上にして圧入装着する時と上面４０２を下にして圧入装着する時とでは調整キャップ４００と床面との隙間量がその偏芯に応じた分だけ異なることになる。調整キャップ４００は、好ましくは硬質樹脂製とし、外側の角部に丸みをつけて、何らかの障害物との衝突の際の双方の損傷を小さくしている。
【００２８】
現像装置の移動時と据え付け固定時とにおけるパッド付きジャッキボルト５と突起体４０（スタビライザ４）の高さ調整、及び突起体４０への調整キャップの装着の仕方について図８を用いて説明する。
まず、図８（ａ）で示された現像装置の搬送移動時では、キャスター６による現像装置の移動のじゃまにならないようにパッド５０がキャスター６より高く引き上げられている。ただし、このままだと舌状突起体４０の先端部４１と床面との間隔が大きく現像装置の横倒れに対して十分な効果を果たさないので、先端部４１に調整キャップ４００をその上面４０３を下向きにして装着して、この調整キャップ４００の高さでもって舌状突起体４０の床面との間隔を小さくして、現像装置の横倒れに対する効果を十分なものとする。
【００２９】
さらに、図８（ｂ）で示された現像装置の据え付け固定時では、まず調整キャップ４００を舌状突起体４０の先端部４１から抜き取り、調整キャップ４００を裏返してその上面４０３を上向きにした状態で先端部４１に装着する。これにより調整キャップ４００の下端の高さレベルがパッド付きジャッキボルト５のパッド５０とほぼ同一からわずかに高いレベルとなる。次いで、パッド付きジャッキボルト５の固定ナット５４を緩めた状態で操作ナット５２を回転操作してボルト本体５１を床フレーム２ａから引き延ばして（又は床フレーム２ａ内に引き込ませて）、現像装置をジャッキアップし（又はジャッキダウンし）、キャスター６を床面から浮き上がらせる（又は床面に近づける）。左右前後のパッド付きジャッキボルト５を調整して現像装置の要求される水平度を出してから、締め付けナット５４を締め付けてパッド付きジャッキボルト５を床フレーム２ａにしっかりと固定する。どの位置でパッド付きジャッキボルト５を固定しても、調整キャップ４００の下端は床面にほぼ密接しているので、現像装置の横倒れに対する効果は十分なものとなる。このような現像装置の据え付け状態において、そのハウジング１の下方から側壁を越えて突き出る調整キャップ４００にオペレータ等が躓き難くするため、調整キャップ４００の上面４０３を全体に傾斜面で形成することが好ましい。
【００３０】
上述した実施の形態では、スタビライザ４の突起体４０がパッド付きジャッキ５のパッド５０に溶接固定されていたが、連結の方法としては溶接以外の連結方法を採用してもよいし、突起体４０をパッド５０以外のパッド付きジャッキ５の部材に連結させてもよい。また、スタビライザ４の突起体４０がロッドの折り曲げ加工によって製作されていたが、プレートの折り曲げ加工によって製作してもよいし、その他の加工方法を採用してもよい。上述したフィルム現像装置以外、印画紙の現像装置などにも本発明を適用することも可能である。
【図面の簡単な説明】
【００３１】
【図１】本発明によるフィルム現像装置の外観を示す斜視図
【図２】フィルム現像装置の具体的構成を示す断面模式図
【図３】フィルムの先端部と連結したリーダシートを示す斜視図
【図４】処理槽と補充容器及び処理槽と補水槽との間の配管を説明する説明図
【図５】スタビライザとパッド付きジャッキの分解斜視図
【図６】スタビライザとパッド付きジャッキの側面図
【図７】スタビライザとパッド付きジャッキの平面図
【図８】現像装置の移動時と据え付け固定時とにおけるパッド付きジャッキボルトと突起体の高さ調整、及び突起体への調整キャップの装着の仕方を示す説明図
【符号の説明】
【００３２】
１：フィルム現像装置のハウジング
２：フレーム
２ａ：床フレーム
３：パネル
４：スタビライザ
５：パッド付きジャッキ（ボルト）
６：キャスター
１０：フィルム挿入部
１１：フィルム乾燥部
１２：フィルム保管部
１３：搬送機構
１４：制御部
２０：タンクユニット
４０：突起体
４１：先端部
５０：パッド
５１：ボルト本体
４００：調整キャップ
【図１】
2005221863.tif 000003
【図２】
2005221863.tif 000004
【図３】
2005221863.tif 000005
【図４】
2005221863.tif 000006
【図５】
2005221863.tif 000007
【図６】
2005221863.tif 000008
【図７】
2005221863.tif 000009
【図８】
2005221863.tif 000010